(57)【要約】【課題】本発明は、強靭かつ軽量な構成で、使用勝手がよく安全な高所作業用安全帯を提案することを課題とする。【解決手段】上記問題を解決するために、本発明に係る安全帯は、開閉できるフックと、取付金具と、フックと取付金具とをつなぐロープを備える高所作業用安全帯であって、ロープは、中央に長さ方向において伸縮する蛇腹構造を有する蛇腹部と、該蛇腹部の両端に結着される結着部とを備え、蛇腹部は、非伸縮糸で製織された第一層と第二層とからなる帯状体に複数の弾性糸を長さ方向に挿入して編み込んでなり、帯状体の第一層側に伸長状態で編み込んだ弾性糸を幅方向に縫着閉塞した第一層縫着箇所を帯状体の長さ方向に複数個所設け、帯状体の第二層側に伸長状態で編み込んだ弾性糸を幅方向に縫着閉塞した第二層縫着箇所を帯状体の長さ方向に複数個所設け、帯状体の長さ方向において、第一層縫着箇所と第二層縫着箇所が交互に並ぶよう設けたことを特徴とする。【選択図】図１
2015228950.tif 000002
【特許請求の範囲】
【請求項１】
開閉できるフックと、取付金具と、前記フックと前記取付金具とをつなぐロープを備える高所作業用安全帯であって、
前記ロープは、中央に長さ方向において伸縮する蛇腹構造を有する蛇腹部と、該蛇腹部の両端に結着される結着部とを備え、
前記蛇腹部は、非伸縮糸で製織された第一層と第二層とからなる帯状体に複数の弾性糸を長さ方向に挿入して編み込んでなり、
前記帯状体の前記第一層側に伸長状態で編み込んだ弾性糸を幅方向に縫着閉塞した第一層縫着箇所を前記帯状体の長さ方向に複数個所設け、前記帯状体の前記第二層側に伸長状態で編み込んだ弾性糸を幅方向に縫着閉塞した第二層縫着箇所を前記帯状体の長さ方向に複数個所設け、前記帯状体の長さ方向において、前記第一層縫着箇所と前記第二層縫着箇所が交互に並ぶよう設けたことを特徴とする高所作業用安全帯。
【請求項２】
前記弾性糸の弾性力により、前記第一層縫着箇所が前記第一層側の山端および前記第二層側の谷端となり、前記第二層縫着箇所が前記第二層側の山端および前記第一層側の谷端となり、前記蛇腹部が蛇腹形状となったことを特徴とする請求項１に記載の高所作業用安全帯。
【請求項３】
前記蛇腹部が、前記弾性糸の弾性力による伸縮性と、前記非伸縮糸による伸長限界を併せ持つことを特徴とする請求項１または２に記載の高所作業用安全帯。
【請求項４】
前記弾性糸は、ストレッチナイロンであることを特徴とする請求項１ないし３のいずれかに記載の高所作業用安全帯。
【請求項５】
前記フックは、先端に鉤部と基端に環状部を備えるフック本体と、前記フック本体の鉤口を開閉可能に回動する開閉レバと、前記フック本体に軸支して前記開閉レバの回動を制御する外れ止め金具とを備え、
前記開閉レバは、略逆Ｙ字形状を形成し、Ｙ字二股の一方に支軸を備えて前記基端近傍に軸支し他方に別の支軸を備えて前記外れ止め金具が有する長孔に摺動可能に配設した基部と、Ｙ字二股から延びて鉤口を開閉する腕部とからなる、
ことを特徴とする請求項１ないし４のいずれかに記載の高所作業用安全帯。
【請求項６】
前記開閉レバは、外側縁部が前記基部側から前記先端部側に向けて湾曲状又は屈曲状に形成されさらに複数の凹部を備えることを特徴とする請求項５に記載の高所作業用安全帯。
【請求項７】
前記開閉レバは、前記Ｙ字二股が内側に湾曲した形状であって、前記フック本体の鉤口を開いた状態において、前記フック本体の前記環状部の孔を塞がないことを特徴とする請求項５又は６に記載の高所作業用安全帯。
【請求項８】
前記開閉レバは、前記先端部の外側縁部先端近傍に凸部を備えることを特徴とする請求項５ないし７のいずれかに記載の高所作業用安全帯。
【請求項９】
前記フック本体は、鍛造アルミからなることを特徴とする請求項５ないし８のいずれかに記載の高所作業用安全帯。
【発明の詳細な説明】
【技術分野】
【０００１】
本発明は、建設工事現場等の高所で作業を行なう際に、作業者の墜落を防止する高所作業用安全帯に関する。
【背景技術】
【０００２】
建築現場、橋梁工事、鉄塔工事等の高所作業時においては、安全帯を着用し、これに接続されたロープの先端に固定されたフックを、建築物の鋼線や鋼管その他に掛け、作業者の墜落が防止できる安全対策が講じられる。作業範囲は、安全帯のロープ部分の長さによって規制されるため、移動しながら作業する場合には、フックを一度外し、掛止箇所を変える必要がある。
【０００３】
作業者が万一落下した時、このロープによって作業者の全荷重が支えられることになるので、各部材が破壊や断裂することがない強靱さを持っていることが要求される。さらに、身体が受ける衝撃をできるだけ小さくし、落下衝撃による身体損傷を軽減するよう種々の衝撃吸収策が要求され、例えば、ショックアブソーバー部分を別途設けて対応することが知られている。
【０００４】
一方、安全帯用ロープを長いものとすれば作業者の移動可能範囲が広がるため、頻繁にフックを掛け直す必要がなくなるが、ロープが垂れてしまい、現場の機材その他に引っ掛かりやすくなったり、垂れ下がった部分が移動の邪魔になったりして使用者の安全を損なうこととなる。逆に言えばこれまでの安全帯用ロープの長さは、安全性・作業性の双方に関して不満足なものであり、現場からは、「もう少し長ければ自由に動ける範囲が広がり作業性が増すことになるし、もう少し短ければ引っ掛かりにくくなって安全性が増す」といういわば二律背反の強い要望がある。
【０００５】
このような問題を解決する安全帯として、ロープやベルトを巻き取り長さ調整を行うことができる巻取機を備えた安全帯がある。一般的な巻取式の高所作業用安全帯は、巻取機より、先端にフックのついたベルトを引き出し、所定の長さで引き出しを停止すれば、その位置でベルトはロックされるものである。また、特許発明としてもいくつか提案されている。例えば、特許文献１は、軽量化を図るためアルミを使用して製作されたロープ伸縮調節器のロープ挿通保持体の後端部と遊動リンクの変形を防止し、逆落下状態における墜落距離を最小限に保持するため、変形個所に補強部材を設けて課題の解決を図るものである。特許文献２は、安全帯用巻取器を、フックが取り付けられるランヤードと、このランヤードを巻き取る巻取ケースとを備え、前記巻取ケースにフックの掛け部を設け、この掛け部を、胴ベルトの長さ方向に関してケース両端とならないように設け、ランヤードに巻取りを阻止する抵抗部を設け、この抵抗部の位置を、前記フックの鉤部が掛け部に掛かり、かつフックの取付端が下側を向く状態で巻取りが阻止されるように定めた構成としている。
【先行技術文献】
【特許文献】
【０００６】
【特許文献１】実用新案登録第３０００１７８号公報
【特許文献２】特開２００７−１６７１２０号公報
【発明の概要】
【発明が解決しようとする課題】
【０００７】
しかしながら、このような「巻取り式」安全帯は一般的に普及しているが、巻取り式なので伸縮率は圧倒的に優れているものの、購入金額が高額である上に、非常に重く、また衝撃によって壊れる可能性がある。また、今後は、「フルハーネス」のようなより安全性の高い装着具が義務化され、より軽くて利便性の高い安全帯が求められることから、上述したような巻取機を備えた安全帯は軽量化という点では難があり、安全性を担保する観点からは構造が複雑になることは避けられず、結果として製造コストもかかるという問題がある。ここで、「フルハーネス」とは、胴部の他に腿や肩にもベルトを通し、全身を保持する安全帯をいい、胴ベルト型と比較し、抜け落ちる心配が無く、墜落時の荷重が胴部に集中せず、吊られた際も自然な姿勢が保てるという利点を有する安全帯である。本発明は、このような問題に鑑み、特にロープ部及びフック部について強靭かつ軽量な構成で、低コストで製造できる利便性の高い安全帯を提案することを課題とする。
【課題を解決するための手段】
【０００８】
本発明に係る安全帯は、開閉できるフックと、取付金具と、フックと取付金具とをつなぐロープを備える高所作業用安全帯であって、ロープは、中央に長さ方向において伸縮する蛇腹構造を有する蛇腹部と、該蛇腹部の両端に結着される結着部とを備え、蛇腹部は、非伸縮糸で製織された第一層と第二層とからなる帯状体に複数の弾性糸を長さ方向に挿入して編み込んでなり、帯状体の第一層側に伸長状態で編み込んだ弾性糸を幅方向に縫着閉塞した第一層縫着箇所を帯状体の長さ方向に複数個所設け、帯状体の第二層側に伸長状態で編み込んだ弾性糸を幅方向に縫着閉塞した第二層縫着箇所を帯状体の長さ方向に複数個所設け、帯状体の長さ方向において、第一層縫着箇所と第二層縫着箇所が交互に並ぶよう設けたことを特徴とする。また、弾性糸の弾性力により、第一層縫着箇所が第一層側の山端および第二層側の谷端となり、第二層縫着箇所が第二層側の山端および第一層側の谷端となり、蛇腹部が蛇腹形状となるようにすると好適である。さらに、蛇腹部が、弾性糸の弾性力による伸縮性と、非伸縮糸による伸長限界を併せ持つようにするとなおよい。弾性糸は、ストレッチナイロン糸であると好適であるが、弾性のある合成樹脂や天然ゴムを用いてもよい。
【０００９】
また、フックは、先端に鉤部と基端に環状部を備えるフック本体と、フック本体の鉤口を開閉可能に回動する開閉レバと、フック本体に軸支して開閉レバの回動を制御する外れ止め金具とを備え、開閉レバは、略逆Ｙ字形状を形成し、Ｙ字二股の一方に支軸を備えて基端近傍に軸支し他方に別の支軸を備えて外れ止め金具が有する長孔に摺動可能に配設した基部と、Ｙ字二股から延びて鉤口を開閉する腕部とからなるようにするとよい。なお、開閉レバは、外側縁部が基部側から先端部側に向けて湾曲状又は屈曲状に形成されさらに複数の凹部を備えるとよい。さらに、開閉レバは、Ｙ字二股が内側に湾曲した形状であって、フック本体の鉤口を開いた状態において、フック本体の環状部の孔を塞がないようにする。またさらに、開閉レバは、先端部の外側縁部先端近傍に凸部を備えると滑りにくくなる。なお、フック本体を鍛造アルミを素材とすれば軽量化を図ることができる。
【発明の効果】
【００１０】
本発明に係る安全帯によると、従来製品である「ロープ式」安全帯が有するロープが伸縮しないという不便性や、「巻取り式（リール式）」安全帯が有するリールが重いという不便性をも解決できる。作業時は常に最短の長さを保持できることから、作業者自身はもちろん、他の作業者や構造物に絡まることを未然に防げるので事故を軽減できる。本発明に係る安全帯は、購入金額は安価で、重量も軽く、金属やプラスチック部分が含まれないので壊れる心配がない。安全帯の装着率は年々業界の啓蒙活動の甲斐もあって上昇しているものの、価格が高額であったり、重量が重すぎたりして、作業者を悩ませている。このような事情からすれば、重量が軽く、値ごろ感があって手軽に購入が可能で、しかも利便性も高い本発明に係る安全帯は、装着時に体への負担も小さく作業時の負担が軽減されるため、装着率の向上を促すことにより墜落事故の減少にもつながり、安全性に大きく貢献する。さらに、フック本体と開閉レバと外し止め金具とを鋳造アルミからなるようにすれば、軽量かつ強靭なフックを実現することができ、高所作業者の作業負担を軽減できる。
【図面の簡単な説明】
【００１１】
【図１】本発明に係る安全帯の一例を示す概略正面図（ａ）と概略平面図（ｂ）である。
【図２】本発明に係るロープの蛇腹部の構成を示す概略図である。
【図３】本発明に係るロープの蛇腹部の縫合構造を示す図である。
【図４】本発明に係るフックの一例を示す概略正面図である。
【図５】図４に係るフックの開閉レバの構成を示す概略正面図である。
【図６】本発明に係るフックの鉤口が開いた状態を示す概略正面図である。
【図７】本発明に係るフックの開閉操作を示す図である。
【発明を実施するための形態】
【００１２】
以下、本発明の実施例を図面に基づき詳細に説明する。各図において、同一部分には同一番号を付し、重複する説明は省略する。また、図面は、本発明を理解するために誇張して表現している場合もあり、必ずしも縮尺どおり精緻に表したものではないことに留意されたい。なお、本発明は下記に示される実施例に限られるものではない。
【実施例１】
【００１３】
図１は、本発明に係る高所作業用安全帯１（以下安全帯１という）の一例を概略的に示す図である。図１に示すとおり、安全帯１は、開閉できるフック３と、取付金具４と、フック３と取付金具４とをつなぐロープ２を備える。図２は、本発明に係るロープ２の蛇腹部２０の構成を示す概略図で、（ａ）は収縮状態の断面平面図、（ｂ）は同じく拡大正面図である。
【００１４】
ロープ２について、詳細に説明する。図１及び図２（ａ）に示すとおり、ロープ２は、軸方向において伸縮する蛇腹構造を有する蛇腹部２０を備え、蛇腹部２０の両端には、結着部２１、２３を備える。さらに、結着部２１は、フック３に取り付ける取付部２２を備え、結着部２３は、取付金具４に取り付ける取付部２４を備えている。
【００１５】
図２（ｂ）は蛇腹部２０の拡大正面図であり、収縮状態の蛇腹構造を示している。図２（ｂ）を参照すると、ロープ２は、蛇腹部２０が非伸縮糸で製織された第一層２０ａと第二層２０ｂとからなる帯状体であって、この帯状体に複数の弾性糸２０１を長さ方向に挿入して編み込んでおり、かつ、等間隔で所定の場所を幅方向に縫着糸２０２で閉塞して収縮時には山谷を構成する。実施例１において、非伸縮糸２００はナイロンが好ましいが、強い引張り力を有する糸を選択すればよい。また、弾性糸２０１は、ストレッチナイロンであると好適であるが、弾性のある合成樹脂や天然ゴムを用いてもよい。なお、蛇腹部２０の軸方向の両端及び幅方向の両端を縫合するとよい。なお、帯状体の第一層２０ａと第二層２０ｂとは筒状に縫製してもよい。
【００１６】
次に、蛇腹部２０の縫合構造をより詳細に説明する。図３は、本発明に係るロープ２の蛇腹部２０の縫合構造を示す図であり、（ａ）は、第一層２０ａの非伸縮糸２００ａと第二層２０ｂの非伸縮糸２００ｂ、弾性糸２０１及び縫着糸２０２の縫合状態を示し、（ｂ）は（ａ）の拡大図であり、（ｃ）は（ｂ）における収縮状態から蛇腹部２０が軸方向に伸張された状態を示している。図３（ａ）に示すとおり、蛇腹部２０は、収縮状態において、任意の弾性糸２０１が、隣接する第一層２０ａの任意の非伸縮糸の谷端と第二層２０ｂの任意の非伸縮糸の山端とを、交錯して編み込まれている。さらに第一層２０ａの谷端及び第二層２０ｂの山端が幅方向に縫着糸２０２により閉塞している。図３（ｂ）は（ａ）の拡大図であるが、弾性糸２０１は、第一層２０ａの谷端Ａ、Ｃの図に向かって上を、第二層２０ｂの山端Ｂ、Ｄの図に向かって下を交錯して編み込まれているのが理解されるであろう。図３（ｃ）は、蛇腹部２０が、図３（ｂ）の状態、すなわち収縮状態から図に向かって右方向（軸方向）に伸張したときの状態を示している。すなわち、帯状体の第一層２０ａのＡとＣならびに第二層２０ｂのＢとＤの各距離は、弾性糸２０１が伸張することにより伸びきっても、Ａ、Ｃ、Ｂ、Ｄそれぞれが縫着糸２０２で縫着されているので、蛇腹構造が平らな状態に伸ばされても、それ以上伸ばされることはない。したがって、落下時の作業者を支える強度を備える。また、非伸縮糸２００からなる織物に複数の弾性糸２０１を編み込むことにより、一部の弾性糸２０１が断裂してもその他の弾性糸２０１が伸縮を保持することができる。さらに、幅方向に蛇腹の各山谷を等間隔に閉塞しているので、ロープ２が伸縮した際、常に最短の長さを保持することが可能となり、作業者のじゃまにならない。
【００１７】
以上のようにして得られるロープ２の両端には、フック３と取付金具４が取設されることとなる。結着部２１、２３を別部材で被覆（例えば熱収縮性プラスチックによるシュリンク包装）する等の保形措置を講じるのが望ましい。なお、結着部２１、２３にアブソーバー部７を付帯させる場合には、この保形措置の際にショックアブソーバーを一緒にまとめるようにすると全体形状がシンプルとなるばかりでなく、落下時この保形措置構造部分が破壊される際、落下エネルギーがこの破壊分だけ消費され多少のショックアブソーバー効果をもたらすことになり好適である。
【００１８】
次に、フック３について、詳細に説明する。図４は、本発明に係るフック３の一例を示す概略正面図である。図５は、図４に係るフック３の開閉レバの構成を示す概略正面図である。図６は、本発明に係るフック３の鉤口が開いた状態を示す概略正面図である。図７は、本発明に係るフック３の開閉操作を示す図である。まず、図４を参照しながら、フック３の全体構成を説明する。フック３は、フック本体３２と、開閉レバ３３と、外れ止め金具３４とからなる。フック本体３２は、先端に鉤部３２１と基端に環状部３３５を備える。開閉レバ３３は、フック本体３２の環状部３３５近傍に軸支されて、フック本体３２の鉤部３２１の下方開口部に、フック本体３２の鉤口を開閉可能に回動可能な状態にして取り付けられる。また、外れ止め金具３４は、フック本体３２の鉤部３２１の背側の略中央に軸支して開閉レバの回動を制御する構成となっている。なお、フック本体３２を鍛造アルミ製で、開閉レバ３３と外れ止め金具３４をアルミ製とすれば、軽量で強靭なフックが実現するので好適である。
【００１９】
次に、フック本体３２を説明すると、鉤部３２１は、建設現場等で足場の構成部材として使用されることの多い単管Ｐ（図示しない）に掛け止め装着させ得るフトコロ部を有するとともに、斜め下方側から単管Ｐを挿入させる開口部が形成され、また、環状部３３５には、安全ベルトや安全ロープを連結させるための孔３２３が形成されている。
【００２０】
開閉レバ３３は、鉤部３２１に形成した下方開口部に、差し渡し状にして配置させ得る長さに設定され、開閉レバ３３の外側縁には、基部側から先端側に向けて湾曲状あるは屈曲状になる外側縁部３３０が形成されていて、開閉レバ３３の外側縁部３３０に使用者が指先を掛けた場合、指先がその外側縁部３３０に沈み込む構成となっている。また、開閉レバ３３は、バネを組み込んで支軸３３４を差し入れることによって、鉤部２に対して揺動可能な状態として取り付けられ、常時はバネによって、鉤部２の開口部を閉鎖した状態となるように構成される。
【００２１】
外れ止め金具３４は、鉤部３２１の背側に位置させるとともに、バネを組み込んで支軸３４２を差し入れて、フック本体３２の背側略中央に軸支することによって、鉤部３２１に対して揺動可能な状態にして取り付けられ、常時はバネによって、フック本体３２の背部外側方向に付勢された構成となっている。また、外れ止め金具３４は、その下方側に長孔３４１を形成し、長孔３４１に開閉レバ３３の支軸３３５が取り付けられ、図４に示すとおり、支軸３３５は、常時は長孔３４１の屈折部分に入り込み、開閉レバ３３をロック状態にする一方、使用に際して外れ止め金具３４を握り締めた場合、後述するとおり、支軸３３５が屈折部分から外れて長孔３４１の略円弧部分に移行し、それによって、開閉レバ３３のロック状態が解除されて、開閉レバ３３を開け得る構成となっている。このように、開閉レバ３３のロック状態が解除されると、図６に示すとおり、フック３の鉤口が開かれた状態となる。
【００２２】
次に、図５を参照して、開閉レバ３３の構成について詳細に説明する。図５に示すとおり、開閉レバ３３は、略逆Ｙ字形状を形成していて、いわばジェット機を上から見たような形状となっており、鉤部３２１に向かって伸びる腕部３３１と、Ｙ字二股の基部３３２とを備える。Ｙ字二股の基部３３２の一方に支軸３３４を備えて、フック本体３２の環状部３３５の孔３３４の上方近傍に軸支し、他方に別の支軸３３５を外れ止め金具３４が有する長孔３４１に摺動可能に軸支している。
【００２３】
また、開閉レバ３３の外側縁部３３０は、前述したとおり、基部側から先端側に向けて湾曲状あるは屈曲状に形成されており、凹部３３０ｂ、３３０ｃ、３３０ｄ、３３０ｅを備えている。開閉レバ３３の外側縁部３３０に使用者が指先を掛けた場合、人差し指の指先が凹部３３０ｂに、中指の指先が凹部３３０ｃに、薬指の指先が凹部３３０ｄに、小指の指先が凹部３３０ｅに沈み込む構成となっており、指の滑りを防止している。また、外側縁部３３０の先端側に凸部３３０ａを構成すれば、なお一層の指の滑り防止を高めることができる。
【００２４】
最後に、図７を参照して、フック３の開閉の操作の様子を説明する。図７（ａ）はフック３の鉤口が閉じた状態で、（ｂ）は鉤口が開いた状態を示している。図７（ａ）を参照すると、使用者がフック３を掴むように持つと、開閉レバ３３に使用者の人差し指の指先が凹部３３０ｂに、中指の指先が凹部３３０ｃに、薬指の指先が凹部３３０ｄに、小指の指先が凹部３３０ｅにかかる。使用者はフック３を掴むと、外れ止め金具３４がフック本体３２に対して矢印Ａ方向に搖動する。そうすると、長孔３４１に嵌められた開閉レバ３３の支軸３３５が矢印Ｂ方向に移動して、開閉レバ３３のロック状態が解除される。開閉レバ３３のロック状態が解除された状態で、使用者がフック３を掴めば、開閉レバ３３は矢印Ｃ方向に負荷され、支軸３３４を中心にして支軸３３５が矢印Ｄ方向に摺動する。その結果、図７（ｂ）に示すフック３の鉤口が開いた状態となる。
【００２５】
以上、本発明に係る安全帯における好ましい実施形態を図示して説明してきたが、本発明の技術的範囲を逸脱することなく種々の変更が可能であることは理解されるであろう。
【産業上の利用可能性】
【００２６】
本発明に係る安全帯は、重量が軽く、値ごろ感があって手軽に購入が可能で、作業時の負担が軽減されるため、装着率の向上を促すことにより墜落事故の減少にもつながり、事故における死傷率の大幅な削減に貢献する用具として広く利用することができる。
【符号の説明】
【００２７】
１  安全帯
２  ロープ
２０  蛇腹部（帯状体）
２０ａ  第一層
２０ｂ  第二層
２１  ２３  結着部
２００  非伸縮糸
２００ａ  第一層の非伸縮糸
２００ｂ  第二層の非伸縮糸
２０１  弾性糸
２０２  縫着糸
３  フック
３２  フック本体
３３  開閉レバ
３４  外れ止め金具
３２１  鉤部
３２２  環状部
３２３  孔
３３０  外側縁部
３３１  腕部
３３２  基部
３３０ｂ  ３３０ｃ  ３３０ｄ  ３３０ｅ   凹部
３３０ａ  凸部
３４１  長孔
３３４  ３３５  ３４２  支軸
４  取付金具
【図１】
2015228950.tif 000003
【図２】
2015228950.tif 000004
【図３】
2015228950.tif 000005
【図４】
2015228950.tif 000006
【図５】
2015228950.tif 000007
【図６】
2015228950.tif 000008
【図７】
2015228950.tif 000009